(57)【特許請求の範囲】
【請求項１】
サーバ装置が、依頼者が送信する依頼情報を受信する第１受信工程と、
前記サーバ装置が、依頼を受ける複数の候補者がデジタルデータを作成した履歴に関する履歴情報に基づいて作成者を決定する決定工程と、
前記サーバ装置が、前記決定工程により決定された作成者からデジタルデータを受信する第２受信工程と、
前記サーバ装置が、前記第２受信工程によって受信したデジタルデータに基づいて、受信した前記デジタルデータを前記依頼者に送信するか、受信した前記デジタルデータと異なるデジタルデータを前記依頼者に送信するかを決定し、決定したデジタルデータを前記依頼者に送信する送信工程と、
を有することを特徴とするデジタルデータの仲介方法。
【請求項２】
請求項１に記載のデジタルデータの仲介方法において、
前記決定工程は、
前記サーバ装置が、前記依頼情報に対応したデジタルデータを過去に作成した履歴が前記履歴情報に含まれる作成者の候補者を抽出する抽出工程と、
前記サーバ装置が、前記抽出工程において抽出された作成者の候補者について、それぞれ前記履歴情報に基づいて過去の依頼成功率を算出し、前記依頼情報に対する成功率とする成功率算出工程とを有し、
前記成功率算出工程において算出された成功率の高い候補者を前記作成者とすることを特徴とするデジタルデータの仲介方法。
【請求項３】
請求項１または２に記載のデジタルデータの仲介方法において、
前記サーバ装置が、前記第２受信工程により受信したデジタルデータの品質が合格か不合格かを判定する合否判定工程と、
前記サーバ装置が、前記合否判定工程において不合格と判定された場合は、前記第２受信工程により受信したデジタルデータの代替データを取得する代替データ取得工程と、
前記サーバ装置が、前記送信工程において、前記合否判定工程において合格と判定されたデジタルデータ、または前記代替データ取得工程において取得された代替データを前記依頼者に送信する、ことを特徴とするデジタルデータの仲介方法。
【請求項４】
請求項３に記載のデジタルデータの仲介方法において、
前記代替データ取得工程は、前記第１受信工程により受信した依頼情報に最も類似する過去の依頼にしたがって作成されたデジタルデータを代替データとして取得することを特徴とするデジタルデータの仲介方法。
【請求項５】
請求項３または４に記載のデジタルデータの仲介方法において、
前記代替データ取得工程は、前記サーバ装置に記憶されたデジタルデータの中から前記第１受信工程により受信した依頼情報の依頼内容に適合するデジタルデータを代替データとして取得することを特徴とするデジタルデータの仲介方法。
【請求項６】
請求項３から５のいずれか一項に記載のデジタルデータの仲介方法において、
前記代替データ取得工程は、前記決定工程により決定された作成者にデジタルデータの再作成依頼を行い、前記作成者が再作成して前記サーバ装置に送信するデジタルデータを代替データとして取得することを特徴とするデジタルデータの仲介方法。
【請求項７】
依頼者が依頼するデジタルデータに関する依頼情報を受信する第１受信部と、
記憶部に記憶された、前記依頼を受ける複数の候補者からデジタルデータを作成した履歴に関する履歴情報に基づいて、作成者を決定する決定部と、
前記決定部により決定された作成者からデジタルデータを受信する第２受信部と、
前記第２受信部によって受信したデジタルデータに基づいて、受信した前記デジタルデータを前記依頼者に送信するか、受信した前記デジタルデータと異なるデジタルデータを前記依頼者に送信するかを決定し、決定したデジタルデータを前記依頼者に送信する送信部と、
を備えることを特徴とするサーバ装置。
【請求項８】
請求項７に記載のサーバ装置において、
前記第２受信部により受信したデジタルデータの品質の合否を判定する合否判定部と、
前記合否判定部により不合格と判定された場合は、前記第１受信部により受信したデジタルデータの代替データを取得する代替データ取得部と、を備え、
前記送信部は、前記合否判定部により合格と判定されたデジタルデータ、または前記代替データ取得部により取得された代替データを前記依頼者に送信することを特徴とするサーバ装置。
【請求項９】
請求項８に記載のサーバ装置において、
前記第１受信部により受信した依頼情報を記憶する依頼情報記憶部をさらに備え、
前記代替データ取得部は、前記依頼情報記憶部に記憶された依頼情報の中から、前記第１受信部により受信した依頼情報に最も類似する依頼情報を代替データとして取得することを特徴とするサーバ装置。
【請求項１０】
請求項８または９に記載のサーバ装置において、
前記第２受信部により受信したデジタルデータを記憶するデジタルデータ記憶部と、
前記代替データ取得部は、前記デジタルデータ記憶部に記憶されたデジタルデータの中から前記第１受信部により受信した依頼情報の依頼内容に適合するデジタルデータを代替データとして取得することを特徴とするサーバ装置。
【請求項１１】
請求項８から１０のいずれか一項に記載のサーバ装置において、
前記代替データ取得部は、前記決定部により決定された作成者にデジタルデータの再作成依頼を行い、前記作成者が再作成して前記サーバ装置に送信するデジタルデータを代替データとして取得することを特徴とするサーバ装置。
【発明の詳細な説明】
【技術分野】
【０００１】
本発明は、デジタルデータの仲介方法とデジタルデータを仲介するサーバ装置とに関する。
【背景技術】
【０００２】
依頼者自身が撮影できない被写体の画像データなどのデジタルデータを、サービス事業者のサーバ装置を介在させて他者に作成してもらうデジタルデータ仲介方法が知られている。（特許文献１）
【先行技術文献】
【特許文献】
【０００３】
【特許文献１】特許４２３９５９１号公報
【発明の概要】
【発明が解決しようとする課題】
【０００４】
しかし、特許文献１の発明は、デジタルデータの作成者から提出されるデジタルデータの品質が必ずしも依頼者の希望を満足するものであることを保証するものではなかった。たとえば、手振れ等があり品質の悪いデジタルデータが作成者から提出されるおそれがあった。従来では、品質の悪いデジタルデータが提出されることへの対策として、依頼者は複数の撮影者に依頼するといった方法で対応することとなり、支払い報酬額の増加や報酬設定額の低下といった問題が発生していた。本発明は、依頼者の希望に沿ったデジタルデータをより確実に提供可能にすることを目的とする。
【課題を解決するための手段】
【０００５】
本発明の一態様であるデジタルデータの仲介方法は、サーバ装置が、依頼者が送信する依頼情報を受信する第１受信工程と、サーバ装置が、依頼を受ける複数の候補者がデジタルデータを作成した履歴に関する履歴情報に基づいて作成者を決定する決定工程と、サーバ装置が、決定工程により決定された作成者からデジタルデータを受信する第２受信工程と、サーバ装置が、第２受信工程によって受信したデジタルデータに基づいて、受信したデジタルデータを依頼者に送信するか、受信したデジタルデータと異なるデジタルデータを依頼者に送信するかを決定し、決定したデジタルデータを依頼者に送信する送信工程と、を有する
本発明の別の一態様であるサーバ装置は、依頼者が依頼するデジタルデータに関する依頼情報を受信する第１受信部と、記憶部に記憶された、依頼を受ける複数の候補者からデジタルデータを作成した履歴に関する履歴情報に基づいて、作成者を決定する決定部と、決定部により決定された作成者からデジタルデータを受信する第２受信部と、第２受信部によって受信したデジタルデータに基づいて、受信したデジタルデータを依頼者に送信するか、受信したデジタルデータと異なるデジタルデータを依頼者に送信するかを決定し、決定したデジタルデータを依頼者に送信する送信部と、を備える。
【発明の効果】
【０００６】
本発明によれば、依頼者の希望に沿ったデジタルデータをより確実に提供することができる。
【図面の簡単な説明】
【０００７】
【図１】本発明の一実施形態によるデジタルデータの仲介方法を実装したデジタルデータ仲介システムの構成を示すブロック図である。
【図２】デジタルデータ仲介システムで利用される通信機器のブロック構成図である。
【図３】本発明の一実施形態によるサーバ装置の機能ブロック図である。
【図４】本発明の一実施形態によるデジタルデータの仲介方法を示すフローチャートの一例である。
【図５】本発明の一実施形態によるデジタルデータの仲介方法を示すフローチャートの一例である。
【図６】本発明の一実施形態によるデジタルデータの仲介方法を示すフローチャートの一例である。
【発明を実施するための形態】
【０００８】
本発明によるデジタルデータの仲介方法を実装したデジタルデータ仲介システムは、サーバ装置が依頼者用通信機器と作成者用通信機器との間に介在してデジタルデータの仲介を行う。デジタルデータとは、画像データや音声データ、テキストデータなどを指す。たとえば、デジタルカメラ等で撮影された静止画像データや動画像データ、ＩＣレコードなどで録音された音声データ、それらに付随するテキストデータなどである。
【０００９】
図１は、本発明によるサーバ装置を含むデジタルデータ仲介システム１の構成を示すブロック図の一例である。図１のデジタルデータ仲介システム１は、複数の依頼者用通信機器２と、サーバ装置３と、複数の作成者用通信機器４とを備える。依頼者用通信機器２と作成者用通信機器４とは、パソコンや携帯電話、通信機能を有するデジタルカメラなどであり、インターネット回線や携帯電話回線網などで実装される通信回線網５を介してサーバ装置３と接続されている。
【００１０】
図１に示されるサーバ装置３は、通信部３１と、カレンダ部３２と、記憶部３３と、データバス３４と、制御部３５を備える。通信部３１と、カレンダ部３２と、記憶部３３と、制御部３５とは、サーバ装置３の内部でデータバス３４を介して接続されている。
【００１１】
通信部３１は、通信回線網５を介して依頼者用通信機器２および作成者用通信機器４と接続する。カレンダ部３２は、日時情報を管理しており、制御部３５からの要求に応じて現在の日時情報を制御部３５へ送信する。
【００１２】
記憶部３３は、ハードディスクやフラッシュメモリである。記憶部３３には、ユーザによって作成されたデジタルデータや、ユーザの登録個人データ、地図データ、作成依頼の依頼履歴データなどが記憶される。記憶部３３に記憶されるユーザの登録個人データは、ユーザを識別するための登録ＩＤや、情報の送信先を指定する連絡先情報、ユーザが使用可能な機材の情報（たとえば、デジタルカメラの型式）、ユーザの位置情報、作成依頼の受諾履歴、過去に受諾した依頼における評価値の履歴情報（以降、評価値履歴と称する）、決済用の擬似通貨情報などを含む。
【００１３】
図１の制御部３５は、不図示のマイクロプロセッサ、各種周辺回路、ＲＡＭ、ＲＯＭなどを有する。制御部３５は、通信部３１や、カレンダ部３２、記憶部３３などを制御して、サーバ装置３としての各種処理を実行する。図１では、制御部３５が実行する処理例として画像認識処理部３７、データベースエンジン部３８、ネットワークサービスサーバ部３９が示されている。
【００１４】
画像処理部３７は、デジタルデータのうち特に画像データに関する処理を行うものであって、画像評価部３６を有する。画像評価部３６は、作成者用通信機器４のユーザが撮影した画像データの品質を評価する。画像評価部３６が評価する画像データの品質とは、手振れの有無、ぼけの有無、色飛びの有無などである。
【００１５】
画像評価部３６は、たとえば画像データにおける被写体の輪郭パターン認識や、画像データの輝度ヒストグラムの分散に基づき評価値を算出し、画像データの品質を評価する。輝度ヒストグラムの分散に基づく画像データの品質の評価について説明する。画像評価部３６は、画像データの輝度ヒストグラムについて頻度が高くピークとなる輝度を演算する。画像評価部３６は、輝度ヒストグラムのピークが下記［１］―［３］のいずれかに該当する場合には、ピークに基づいた標本分散を演算する。そして、その標本分散の値が低ければ画像の階調表現が乏しいと判断し、画像データの品質の評価を下げる。
［１］輝度ヒストグラムのピークが一つだけの場合。
［２］輝度ヒストグラムのピークが複数得られ、それらのピークの中に他のピークと比べて頻度が高いピークが一つだけ存在する場合。
［３］輝度ヒストグラムのピークが複数得られ、それらのピークが一つの輝度値周辺に集中している場合。
【００１６】
さらに、黒つぶれに相当する輝度（たとえば、０）の近傍に輝度ヒストグラムのピークが存在する場合または白とびに相当する輝度（たとえば、２５５）の近傍に輝度ヒストグラムのピークが存在する場合にも、画像評価部３６は画像データの品質の評価を下げる。なお、色とびの判定は、輝度ヒストグラムのピークのみならず、ＲＧＢ値やＬａｂ色空間の色分布のヒストグラムのピークに基づいても行うことができる。
【００１７】
画像評価部３６は、ヒストグラムに現れるピークの数や、各ピークにおける頻度とその順位、そしてピークである（頻度が高い）輝度の画素点が画像内のどの位置に存在するか（たとえば、画像の中央部に存在するのか、画像の周辺部に存在するのか）によって、評価を下げる度合いを決定する。
【００１８】
画像評価部３６は、画像データをハフ（Ｈｏｕｇｈ）変換して、直線および円形を画像の中から検出する。そして、検出された線への垂直方向の輝度の変化量（傾斜）を用いて、画像のぼけ具合を判断する。また、画像データがＥｘｉｆデータでメタ情報（付加情報）が添付（付加）されている場合には、画像評価部３６はそのメタ情報に記憶されたＡＦ対象の画像内位置を用いて、画像のぼけ具合の判断の精度を向上させることができる。
【００１９】
画像評価部３６は、さらに画像データの色相情報において色が大きく変化している部分の輝度傾斜と、画像認識による被写体検出と、被写体検出の対象領域における輝度変化の傾斜および傾斜の方向性（たとえば特定方向に輝度変化が緩やかな場合、手振れの可能性があると推定）とにより、ぼけや手振れの発生を推定して画像データの評価を変化させる。また、画像評価部３６は、画像全体の色分布情報に基づいてホワイトバランスのズレを推定し、評価を変化させる。
【００２０】
画像評価部３６は、以上の画像データの各種評価処理による評価の度合いを判定値として数値化し、それぞれの判定値に重み付けの係数をかけて、それらの総和を評価値として算出する。
【００２１】
データベースエンジン部３８は、記憶部３３に記憶されるユーザの登録個人データや、デジタルデータ、地図データ、依頼履歴データなどをデータベースとして管理する。ネットワークサービス部３９は、Ｗｅｂサーバやメールサーバなどのサーバ装置３の処理を実行する。たとえば、ネットワークサービス部３９は、サーバ装置３に接続した依頼者用通信機器２に対してデジタルデータの作成依頼の依頼内容を入力するための入力画面（Ｗｅｂページ）を提供する。
【００２２】
図２は、依頼者用通信機器２の構成の一例を示すブロック図である。図２では、依頼者用通信機器２は、制御部２０と、入力部２１と、記憶部２２と、表示部２３と、ＧＰＳ受信部２４と、カレンダ部２５と、通信部２６とを備える。なお、作成者用通信機器４も同様の構成である。
【００２３】
制御部２０は、マイクロプロセッサ、各種周辺回路、ＲＡＭ、ＲＯＭなどを有し、依頼者用通信機器２の各種処理を実行するために依頼者用通信機器２の各部位を制御する。制御部２０が実行する処理には、通信部２６による通信処理と、入力画面や確認画面やメニュー画面などの各種画面を表示部２３に表示する処理と、ＧＰＳ信号に基づいて依頼者用通信機器２の位置情報を算出する処理とが含まれる。
【００２４】
入力部２１は、スイッチなどの各種操作部材や、音声入力用のマイク、タッチパネル、キーボードなどである。依頼者用通信機器２のユーザは、入力部２１を介して様々な入力をすることができる。たとえば、サーバ装置３から提供された入力画面へ情報を入力することができる。
【００２５】
記憶部２２は、ハードディスクやフラッシュメモリなどの不揮発性の記憶装置であって、ユーザの個人情報や、作成依頼に関する情報、各種デジタルデータなどを記憶する。表示部２３は、液晶ディスプレイなどである。表示部２３は、制御部２０の制御により、その表示画面上に入力画面やメニュー画面などの各種画面を表示することができる。
【００２６】
ＧＰＳ受信部２４は、複数のＧＰＳ衛星からＧＰＳ信号を受信し、受信したＧＰＳ信号を制御部２０に送信する。制御部２０は、複数のＧＰＳ衛星からのＧＰＳ信号に基づいて、依頼者用通信機器２が存在する場所の位置情報を算出することができる。算出された位置情報は、制御部２０の制御により通信部２６を介してサーバ装置３へ送信される。サーバ装置３は、送信された位置情報を通信部３１を介して受信し、記憶部３３に記憶されているユーザの登録個人データに位置情報として記憶する。
【００２７】
カレンダ部２５は、日時情報を管理しており、制御部２０の要求に応じて要求時の日時情報を送信することができる。通信部２６は、制御部２０の制御にしたがって、通信回線網５と接続する。通信部２６は、通信回線網５を介してサーバ装置３と接続する。
【００２８】
図３は、デジタルデータ仲介システム１が提供するサービスの一例を示す機能ブロック図である。図３では、デジタルデータ仲介システム１のサービスとして、データ作成依頼機能３０１と、データ保存機能３０２と、データ共有保存機能３０３とが例示されている。これらのサービスは、サーバ装置３により提供される。
【００２９】
データ作成依頼機能３０１は、サーバ装置３がデジタルデータの作成依頼を仲介する機能である。作成依頼者がデジタルデータの作成依頼を送信すると、サーバ装置３はその依頼内容に関する情報を記憶部３３に記憶する。そして、依頼内容に応じて作成者とすべきユーザを候補者として選択し、依頼内容に関する情報を送信する。以降、依頼内容に関する情報のことを作成依頼情報と称する。
【００３０】
サーバ装置３は、作成依頼情報を送信するとき、デジタルデータの作成に対する各候補者の成功率を検討する。サーバ装置３は、記憶部３３に記憶されている受諾履歴や評価値履歴に基づいて、各候補者がデジタルデータの作成を失敗しない条件を検討する。サーバ装置３は、検討の結果得られた作成を失敗しない条件を作成依頼情報に付す。
【００３１】
また、データ作成依頼機能３０１は、作成者が作成依頼に応じて作成したデジタルデータを受信し、そのデジタルデータの品質を評価する。受信したデジタルデータの品質が所定の基準を満たしている場合は、そのデジタルデータを作成依頼者へ送信する。作成者が作成したデジタルデータの品質が所定の基準を満足しないとき、作成者に対して再作成依頼を行う処理や、記憶部３３から依頼内容を満足する可能性があるデジタルデータを抽出する処理等を実行して代替データを取得する。
【００３２】
データ保存機能３０２は、ユーザが作成したデジタルデータを記憶部３３に記憶して保管するオンラインストレージ機能である。データ保存機能３０２は、図１の通信部３１と、記憶部３３と、データベースエンジン部３８と、ネットワークサービスサーバ部３９とを用いて実行される。
【００３３】
データ共有機能３０３は、データ保存機能３０２などによって記憶部３３に記憶されたデジタルデータの共有設定を可能にする機能である。共有設定とは、デジタルデータへのアクセス（デジタルデータの出力、デジタルデータのダウンロード等）を行うことができるユーザを設定するものである。データ共用機能３０３は、図１の通信部３１と、記憶部３３と、データベースエンジン部３８と、ネットワークサービスサーバ部３９とを用いて実行される。
【００３４】
データ保存機能３０２によりデジタルデータを記憶部３３に記憶するとき、データ共有機能により共有設定を行うことができる。データ保存機能３０２において、デジタルデータを記憶するとき、ファイルのヘッダ部などに各種付加情報を付することができる。たとえば、画像データの場合、被写体に関する情報（たとえば、富士山）、撮影方位情報（南西から）、撮影日時情報（たとえば、２０１１年１月１日７：００）、撮影機材に関する情報（たとえば１０００万画素以上の一眼レフカメラを使用して撮影）を付加情報として付することができる。
【００３５】
データ作成依頼機能３０１の詳細について、画像データの作成依頼を例に用いて説明する。サーバ装置３は、依頼者用通信機器２から作成依頼情報の入力があると、その作成依頼情報を記憶部３３に記憶する。画像データに関する作成依頼情報には、被写体に関する情報（たとえば、富士山）、撮影方位情報（南西から）、撮影日時情報（たとえば、２０１１年１月１日６：４０〜７：３０）、報酬額に関する情報（たとえば１０ポイント）、撮影機材に関する情報（たとえば１０００万画素以上の一眼レフカメラを使用して撮影）が含まれる。撮影機材に関する情報では、撮影に用いるレンズや、撮影機材の露出、感度、絞り値、焦点距離などを指定できてもよい。
【００３６】
サーバ装置３は、作成依頼情報に基づいて、記憶部３３に記憶されているユーザの登録個人データを検索し、画像データの作成を依頼するユーザの候補者を抽出する。まず、記憶部３３に記憶されている登録個人データの作成依頼の受諾履歴と機材の情報とを、作成依頼情報の依頼内容をキーとして検索し、作成依頼情報に類似する受諾履歴のあるユーザを抽出する。たとえば、依頼内容が上述の内容であった場合、過去に依頼を受けて「富士山」を「画素数が１０００万画素以上の一眼レフカメラ」で撮影したユーザを抽出する。以降、作成依頼情報の依頼内容に適合した受諾履歴のことを適合履歴と称する。
【００３７】
次にサーバ装置３は、各候補者の適合履歴に対応する評価履歴を参照し、各評価履歴の評価値が所定の合否基準値以上か否かを判定し、合否基準値以上の割合を作成依頼情報に対する各候補者の成功率として算出する。たとえば、候補者Ａが富士山を画素数が１０００万画素以上の一眼レフカメラで過去に１０回撮影しており、１０回の撮影のうち４回の撮影で評価値が合否基準値以上であった場合、候補者Ａの作成依頼情報に対する成功率を４０％と算出する。
【００３８】
次に、サーバ装置３は、各候補者の作成依頼情報に対する成功率が所定値（たとえば５０％）以下か否かを判定し、その成功率が所定値以下の候補者に対して、成功率を改善するための追加指定情報の検討を行う。まず、サーバ装置３は、成功率が所定値以下の候補者の適合履歴の中から評価値が合否基準値以上のものを抽出する。サーバ装置３は、その成功した適合履歴の中から共通の作成依頼情報を抽出する。たとえば、成功率が４０％の候補者Ａが成功した適合履歴では、すべてレンズＸを使うことが指定されていた場合は、候補者Ａへの作成依頼情報に対して「レンズＸを使用すること」という追加指定情報が付加される。サーバ装置３は、このように抽出された候補者が所持する作成者用通信機器４に対して作成依頼情報と追加指定情報とを送信する。作成依頼情報等を受信した候補者は、作成依頼を受諾するか否かを判断する。
【００３９】
作成依頼を受諾した候補者は、作成者として受諾した作成依頼に基づいて画像データを作成しサーバ装置３へ送信する。作成者が画像データを送信するとき、作成者がその画像データに対して下した自己評価値を付加する。サーバ装置３は、作成者から画像データを受信すると、画像評価部３６を利用して画像データの品質の評価値を算出する。このとき、画像評価部３６は、画像データとともに送信された自己評価値を加味して評価値を算出する。
【００４０】
サーバ装置３は、画像評価部３６により算出された評価値が合否基準値以上か否かを判定する。評価値が合否基準値以上であった場合は、画像データの作成が成功したものとみなし、その画像データを作成依頼者へ送信する。一方、評価値が合否基準値未満であった場合、サーバ装置３は、作成者による画像データの作成が失敗しているものとみなす。この場合、サーバ装置３は、失敗した画像データの代わりとなる代替データを取得し、作成依頼者が希望の画像データを入手できない可能性を低減する。
【００４１】
サーバ装置３は、記憶部３３に記憶された依頼履歴データから作成依頼情報と依頼内容が最も類似した作成依頼を抽出し、そのときに作成された画像データを第１代替データとして取得する。
【００４２】
また、サーバ装置３は、記憶部３３に記憶された画像データのうち、作成依頼者がアクセス可能な共有設定になっている画像データの中から、付加情報の内容と、作成依頼情報の依頼内容とが最も合致するものを第２代替データとして取得する。
【００４３】
さらに、サーバ装置３は、作成に失敗した作成者に画像データの再作成を依頼する。そして、作成に失敗した作成者が再度送信してきた画像データの評価値が合否基準値以上であれば、その画像データを第３代替データとして取得する。なお、サーバ装置３は、再作成依頼をするとき、作成者に対して失敗と判定された理由（色飛び、手振れなど）を通知することが望ましい。
【００４４】
サーバ装置３は、上記のようにして取得した代替データと、評価値が合否基準値未満であった画像データとを依頼者用通信機器２へ送信する。これにより、作成依頼者は、作成者が画像データの作成に失敗した場合であっても希望の画像データを入手することができる。
【００４５】
図４から図６は、依頼者用通信機器２と、サーバ装置３と、作成者用通信機器４との間で実行されるデータ作成依頼機能３０１に関する処理のフローチャートの一例である。
【００４６】
図４のステップＳ１０１では、依頼者用通信機器２の制御部２０は、通信機器２の表示部２３や入力部２１を制御し、作成依頼者に作成依頼情報を入力させる。ステップＳ１０２では、依頼者用通信機器２の制御部２０は、ステップＳ１０１で入力された作成依頼情報をサーバ装置３へ送信する。
【００４７】
図４のステップＳ１０３では、サーバ装置３の制御部３５は、ステップＳ１０２で依頼者用通信機器２から送信された作成依頼情報を受信し、記憶部３３に記憶する。ステップＳ１０４では、サーバ装置３の制御部３５は、記憶部３３に記憶されているユーザの登録個人データを検索し、作成者の候補者となるユーザを抽出する。ステップＳ１０５では、サーバ装置３の制御部３５は、ステップＳ１０４で抽出された各候補者について、作成依頼情報に対する成功率を算出する。
【００４８】
図４のステップＳ１０６では、ステップＳ１０５で算出された各候補者の成功率が所定値より大きいか否かを判定する。成功率が所定値以下の候補者については、ステップＳ１０７において追加指定情報とできる依頼条件の検討を行う。
【００４９】
図４のステップＳ１０８では、各候補者の通信機器４へ、ステップＳ１０３で記憶した作成依頼情報と、ステップＳ１０７の検討の結果得られた追加指定情報とを送信する。
【００５０】
作成依頼情報を送信された候補者が作成依頼を受諾し、受諾した作成依頼に基づいて画像データを作成すると、図５の処理が開始される。
【００５１】
図５のステップＳ２０１では、作成依頼を受諾した作成者が作成依頼に基づいて作成した画像データを作成者用通信機器４の記憶部２２に記憶する。ステップＳ２０２では、作成者用通信機器４の制御部２０は、作成者に対してステップＳ２０１で記憶した画像データの自己評価を入力させる。ステップＳ２０３では、作成者用通信機器４の制御部２０は、ステップＳ２０１で記憶した画像データと、ステップＳ２０２で入力させた自己評価の情報とをサーバ装置３へ送信する。
【００５２】
図５のステップＳ２０４では、サーバ装置３の制御部３５は、ステップＳ２０３で送信された画像データと自己評価の情報を受信し、記憶部３３へ記憶する。図５のステップＳ２０５では、サーバ装置３の制御部３５は、ステップＳ２０４で受信した画像データの品質を画像評価部３６において評価し、評価値を算出する。
【００５３】
図５のステップＳ２０６では、サーバ装置３の制御部３５は、ステップＳ２０５で算出された評価値が所定値以上か否かを算出する。サーバ装置３の制御部３５は、評価値が所定値以上である場合は処理をステップＳ２０７へ進め、評価値が所定値未満である場合は処理をステップＳ２０８へ進める。
【００５４】
図５のステップＳ２０７では、サーバ装置３の制御部３５は、作成者が画像データの作成に成功したものとみなして、ステップＳ２０４で受信した画像データを作成依頼者の依頼者用通信機器２へ送信する。
【００５５】
図５のステップＳ２０８では、サーバ装置３の制御部３５は、作成者が画像データの作成に失敗したものとみなして、代替データを取得するため図６に示す処理の実行を開始する。
【００５６】
図６のステップＳ３０１では、サーバ装置３の制御部３５は、記憶部３３に記憶されている作成依頼の依頼履歴データの中からステップＳ１０３で受信した作成依頼情報に最も類似する作成依頼を抽出する。ステップＳ３０２では、サーバ装置３の制御部３５は、ステップＳ３０２で抽出した類似する作成依頼で作成された画像データを第１代替データとして記憶部３３から取得する。
【００５７】
図６のステップＳ３０３では、サーバ装置３の制御部３５は、記憶部３３に記憶されている画像データの中から作成依頼者であるユーザがアクセス可能な画像データを抽出する。ステップＳ３０４では、サーバ装置３の制御部３５は、ステップＳ３０５で抽出された画像データの中から付加情報がステップＳ１０３で受信した作成依頼情報と最も類似する画像データを第２代替データとして抽出する。
【００５８】
図６のステップＳ３０５では、サーバ装置３の制御部３５は、画像データの作成に失敗した作成者へ作成依頼情報を再送信し、再作成依頼する。ステップＳ３０６では、サーバ装置３の制御部３５は、作成者が再作成依頼を受諾したか否かを判定する。サーバ装置３の制御部３５は、作成者が再作成依頼を受諾した場合は処理をステップＳ３０７に進め、作成者が再作成依頼を受諾しなかった場合は処理をステップＳ３１１へ進める。
【００５９】
図６のステップＳ３０７では、サーバ装置３の制御部３５は、再作成依頼を受諾した作成者が作成した画像データを受信し、記憶部３３へ記憶する。ステップＳ３０８では、サーバ装置３の制御部３５は、図５のステップＳ２０５と同様に再作成されたデジタルデータの品質を画像評価部３６において評価し、評価値を算出する。ステップＳ３０９では、サーバ装置３の制御部３５は、ステップＳ３０８で算出した評価値が所定値以上か否かを判定する。サーバ装置３の制御部３５は、評価値が所定値以上である場合は処理をステップＳ３１０へ進め、評価値が所定値未満である場合は処理をステップＳ３１１へ進める。ステップＳ３１０では、サーバ装置３の制御部３５は、ステップＳ３０７で記憶した画像データを第３代替データとして取得する。
【００６０】
図６のステップＳ３１１では、サーバ装置３の制御部３５は、図５のステップＳ２０４で受信した画像データと、図６で取得した代替データとを作成依頼者の依頼者用通信機器２へ送信する。サーバ装置３の制御部３５は、図４のステップＳ１０３で受信した作成依頼情報に対する処理を終了する。
【００６１】
以上説明した各実施の形態によれば、次の作用効果を奏する。
本発明によるデジタルデータの仲介方法では、まず作成依頼者が送信する作成依頼情報をサーバ装置３が通信部３１を介して受信する（図４のステップＳ１０３）。サーバ装置３は、受信した作成依頼情報と、記憶部３３に記憶されているユーザの登録個人データに含まれる作成依頼の受諾履歴や評価値履歴などに基づいて、作成依頼情報に類似する作成依頼を経験しており、その成功率が高いユーザを候補者として抽出する（図４のステップＳ１０４〜Ｓ１０７）。そして、図４のステップＳ１０８において、各候補者に対して作成依頼情報を送信する。このようにすることによって、依頼者の希望に沿ったデジタルデータをより確実に提供することができる。
【００６２】
以上の各実施の形態は、以下のように変形して実施できる。
図４から図６の処理は、デジタルデータが画像データの場合について説明した。しかし、画像データ以外のデジタルデータに関しても適用できる。たとえば、音声データの場合、ノイズの多寡により録音品質の評価値を算出することにすればよい。
【００６３】
上記の実施の形態では、追加指定情報は、作成依頼情報に対する成功率が所定値以下の候補者に対してのみ実施することにしたが、抽出された候補者全員に対して実行することにしてもよい。
【００６４】
上記実施の形態で述べた画像評価部３６での評価処理はあくまでも一例であり、ニューラルネットワーク等の学習型アルゴリズムや、隠れマルコフモデル等様々なアルゴリズムを評価に用いる事が可能である。また、画像データの各種評価処理によって得られた判定値に対して、上記実施の形態で記載されたように一つの評価値で評価する場合も、複数の評価軸を持たせる事もできる。複数の評価軸としては、たとえば上記実施の形態の「画像の階調表現」「ボケ発生の可能性」「手振れ発生の可能性」といったものを独立した評価値とすることや、それぞれの評価値に対して重み付けを変化させることで、正確性、認識しやすさ、芸術性等の評価値を定めてそれぞれの評価値とすることなどが考えられる。また、評価軸を複数持たせる場合、依頼者が撮影依頼時に評価軸を指定して依頼することにあいてもよい。さらに、過去の依頼履歴により、依頼者が希望するであろう評価軸を推定して、その評価軸に基づいた評価を採用することも可能である。
【００６５】
以上で説明した各実施の形態や各種の変形例はあくまで一例であり、発明の特徴が損なわれない限り、本発明はこれらの内容に限定されない。
【符号の説明】
【００６６】
１  デジタルデータ仲介システム
２  依頼者用通信機器
３  サーバ装置
４  作成者用通信機器
５  通信回線網
３１  通信部
３２  カレンダ部
３３  記憶部
３４  データバス
３５  制御部
３６  画像評価部
【図１】
0005942460.tif 000002
【図２】
0005942460.tif 000003
【図３】
0005942460.tif 000004
【図４】
0005942460.tif 000005
【図５】
0005942460.tif 000006
【図６】
0005942460.tif 000007